(57)【要約】      （修正有）【課題】  運転開始時の初期動作における使用者の快適感の低下を抑えることができる空気調和機の室内機を提供する。【解決手段】  空気調和機の室内機は、室内機ケーシングと、送風ファンと、正面パネルと、水平フラップと、制御部とを備える。室内機ケーシングには、第１吸込口と吹出口とが設けられている。送風ファンは、第１吸込口から吸い込まれ吹出口から吹き出される空気の流れを生成する。正面パネルは第１吸込口を開閉する部材である。水平フラップは吹出口を開閉する部材である。そして、制御部は、送風ファンが停止し且つ第１吸込口と吹出口とが閉じられた運転停止状態から運転を開始するときには、正面パネルが第１吸込口を開くように移動する吸込口開動作を開始させ、送風ファンの駆動を吸込口開動作の開始後に開始させ、水平フラップが吹出口を開くように移動する吹出口開動作を送風ファンの駆動開始後に開始させる。【選択図】      図１４
2006226562.tif 000002
【特許請求の範囲】
【請求項１】
吸込口（２１）と吹出口（２０）とが設けられたケーシング部（２）と、
前記吸込口（２１）から吸い込まれ前記吹出口（２０）から吹き出される空気の流れを生成する送風部（３）と、
前記吸込口（２１）を開閉する吸込口開閉部材（６２ａ，６２ｂ，６２ｃ）と、
前記吹出口（２０）を開閉する吹出口開閉部材（５）と、
前記送風部（３）が停止し且つ前記吸込口（２１）と前記吹出口（２０）とが閉じられた運転停止状態から運転を開始するときには、前記吸込口開閉部材（６２ａ，６２ｂ，６２ｃ）が前記吸込口（２１）を開くように移動する吸込口開動作を開始させ、前記送風部（３）の駆動を前記吸込口開動作の開始後に開始させ、前記吹出口開閉部が前記吹出口（２０）を開くように移動する吹出口開動作を前記送風部（３）の駆動開始後に開始させる制御部（８）と、
を備える空気調和機の室内機（１ａ，１ｂ，１ｃ）。
【請求項２】
前記制御部（８）は、前記吸込口開動作の完了前に前記送風部（３）の駆動を開始させる、
請求項１に記載の空気調和機の室内機（１ａ，１ｂ，１ｃ）。
【請求項３】
前記吸込口開動作において前記吸込口開閉部材（６２ａ，６２ｂ，６２ｃ）は第２開度まで開き、
前記制御部（８）は、前記吸込口開動作において前記吸込口開閉部材（６２ａ，６２ｂ，６２ｃ）が前記第２開度より小さい第１開度まで開いたときに前記送風部（３）の駆動を開始させる、
請求項１または２に記載の空気調和機の室内機（１ａ，１ｂ，１ｃ）。
【請求項４】
前記第２開度は前記吸込口開閉部材（６２ａ，６２ｂ，６２ｃ）が全開に開いた開度である、
請求項３に記載の空気調和機の室内機（１ａ，１ｂ，１ｃ）。
【請求項５】
冷媒と空気との間で熱交換を行う熱交換器（１０）と、
前記熱交換器（１０）の温度を検知する温度検知部（５２）と、
をさらに備え、
前記制御部（８）は、前記吸込口開動作が完了し且つ前記熱交換器（１０）の温度が所定温度に到達したときに前記送風部（３）の駆動を開始させる、
請求項１に記載の空気調和機の室内機（１ａ，１ｂ，１ｃ）。
【請求項６】
前記制御部（８）は、前記吸込口開動作が完了し且つ所定時間が経過した後に前記送風部（３）の駆動を開始させる、
請求項１に記載の空気調和機の室内機（１ａ，１ｂ，１ｃ）。
【請求項７】
前記送風部（３）は送風ファン（３１）を有し、
前記制御部（８）は、前記吸込口開動作が完了し且つ前記送風ファン（３１）の回転数が第１回転数に到達したときに前記吹出口開動作を開始させる、
請求項１から６のいずれかに記載の空気調和機の室内機（１ａ，１ｂ，１ｃ）。
【請求項８】
前記制御部（８）は、前記吹出口開動作の開始後に前記送風ファン（３１）の回転数を第１回転数から第２回転数へと増大させる、
請求項７に記載の空気調和機の室内機（１ａ，１ｂ，１ｃ）。
【請求項９】
前記吹出口開動作において前記吹出口開閉部材（５）は第４開度まで開き、
前記制御部（８）は、前記吹出口開動作において前記吹出口開閉部材（５）が前記第４開度より小さい第３開度まで開いたときに前記送風ファン（３１）の回転数を第１回転数から第２回転数へと増大させる、
請求項８に記載の空気調和機の室内機（１ａ，１ｂ，１ｃ）。
【請求項１０】
前記第４開度は前記吹出口開閉部材（５）が全開に開いた開度である、
請求項９に記載の空気調和機の室内機（１ａ，１ｂ，１ｃ）。
【請求項１１】
前記吹出口開閉部材（５）は、前記吹出口（２０）から吹き出る空気を案内するフラップである、
請求項１から１０のいずれかに記載の空気調和機の室内機（１ａ，１ｂ，１ｃ）。
【請求項１２】
前記吹出口開閉部材（５）が前記吹出口（２０）を閉じた状態で前記吹出口（２０）との間に隙間（Ｇ）が形成される、
請求項１から１１のいずれかに記載の空気調和機の室内機（１ａ，１ｂ，１ｃ）。
【請求項１３】
吸込口（２１）と吹出口（２０）とが設けられたケーシング部（２）と、前記吸込口（２１）から吸い込まれ前記吹出口（２０）から吹き出される空気の流れを生成する送風部（３）と、前記吸込口（２１）を開閉する吸込口開閉部材（６２ａ，６２ｂ，６２ｃ）と、前記吹出口（２０）を開閉する吹出口開閉部材（５）とを備える空気調和機の室内機（１ａ，１ｂ，１ｃ）の制御方法であって、
前記送風部（３）が停止し且つ前記吸込口（２１）と前記吹出口（２０）とが閉じられた運転停止状態から、前記吸込口開閉部材（６２ａ，６２ｂ，６２ｃ）が前記吸込口（２１）を開くように移動する吸込口開動作を開始させる吸込口開動作開始ステップ（Ｓ２）と、
前記送風部（３）の駆動を前記吸込口開動作の開始後に開始させる送風部駆動開始ステップ（Ｓ４）と、
前記吹出口開閉部が前記吹出口（２０）を開くように移動する吹出口開動作を前記送風部（３）の駆動開始後に開始させる吹出口開動作開始ステップ（Ｓ９）と、
を備える空気調和機の室内機（１ａ，１ｂ，１ｃ）の制御方法。
【発明の詳細な説明】
【技術分野】
【０００１】
本発明は、空気調和機の室内機および空気調和機の室内機の制御方法に関する。
【背景技術】
【０００２】
従来、空気調和機の室内機には、吸込口と吹出口とが設けられたケーシングと、吸込口を開閉する吸込口開閉部材と、吹出口を開閉する吹出口開閉部材と、吸込口から吸い込まれ吹出口から吹き出される空気の流れを生成する送風部を備えるものがある。このような空気調和機の室内機では、運転停止時には、送風部が停止されると共に吸込口開閉部材および吹出口開閉部材がそれぞれ吸込口と吹出口とを閉じた運転停止状態となる。このような運転停止状態の後、運転を開始する場合には、吸込口開閉部材および吹出口開閉部材がそれぞれ吸込口と吹出口とを開き、送風部が駆動する（特許文献１参照）。
【特許文献１】特開２００１−００４１９２号公報
【発明の開示】
【発明が解決しようとする課題】
【０００３】
上記のような空気調和機の室内機の運転開始時の初期動作においては、吸込口開閉部材、吹出口開閉部材および送風部の各動作が開始されるタイミングが重要である。例えば、リモコンなどの操作によって運転開始が指示された場合に、まず送風部が駆動を開始した後に吸込口開閉部材および吹出口開閉部材が動作を開始する場合がある。このような場合、吸込口開閉部材および吹出口開閉部材の動作の開始が遅れるため、リモコンによる指令が正常に到達しなかったと使用者が誤認する恐れがある。また、吹出口開閉部材が吹出口を開き始めた後に、送風部が駆動を開始する場合には、運転停止状態において室内機の内部に籠もっていた空気がそのまま吹き出されるため、室内機内部の臭いが室内に漏れる恐れがある。また、暖房運転時には、十分に熱交換されていない空気が吹き出されるため、室内に冷風が吹き出される恐れがある。このような場合、使用者の快適感を低下させる恐れがある。
【０００４】
本発明の課題は、運転開始時の初期動作における使用者の快適感の低下を抑えることができる空気調和機の室内機を提供することにある。
【課題を解決するための手段】
【０００５】
第１発明に係る空気調和機の室内機は、ケーシング部と、送風部と、吸込口開閉部材と、吹出口開閉部材と、制御部とを備える。ケーシング部には、吸込口と吹出口とが設けられている。送風部は、吸込口から吸い込まれ吹出口から吹き出される空気の流れを生成する。吸込口開閉部材は吸込口を開閉する部材である。吹出口開閉部材は吹出口を開閉する部材である。そして、制御部は、送風部が停止し且つ吸込口と吹出口とが閉じられた運転停止状態から運転を開始するときには、吸込口開閉部材が吸込口を開くように移動する吸込口開動作を開始させ、送風部の駆動を吸込口開動作の開始後に開始させ、吹出口開閉部が吹出口を開くように移動する吹出口開動作を送風部の駆動開始後に開始させる。
【０００６】
この空気調和機の室内機では、運転開始時に送風部の駆動よりも吸込口開動作が先に開始される。このため、使用者は、吸込口開閉部材の動作を目視することにより、運転開始動作が始まったことを遅滞なく確認することができる。また、この空気調和機の室内機では、送風部の駆動開始後に吹出口開動作が開始されるため、送風部の駆動開始時には吹出口が吹出口開閉部材によって閉じられている。このため、運転停止状態において室内機の内部に籠もっていた空気がそのまま吹き出されることを抑えることができる。これにより、この空気調和機の室内機では、運転開始時の初期動作における使用者の快適感の低下を抑えることができる。
【０００７】
第２発明に係る空気調和機の室内機は、第１発明の空気調和機の室内機であって、制御部は、吸込口開動作の完了前に送風部の駆動を開始させる。
この空気調和機の室内機では、吸込口開動作の開始後であって吸込口開動作の完了前に送風部の駆動が開始される。このため、運転開始時の初期動作を迅速に行うことができる。
【０００８】
第３発明に係る空気調和機の室内機は、第１発明または第２発明の空気調和機の室内機であって、吸込口開動作において吸込口開閉部材は第２開度まで開く。そして、制御部は、吸込口開動作において吸込口開閉部材が第２開度より小さい第１開度まで開いたときに送風部の駆動を開始させる。
この空気調和機の室内機では、吸込口開閉部材が吸込口開動作の途中の第１開度まで開いたときに、送風部の駆動が開始される。このため、運転開始時の初期動作を迅速に行うことができる。
【０００９】
第４発明に係る空気調和機の室内機は、第３発明の空気調和機の室内機であって、第２開度は吸込口開閉部材が全開に開いた開度である。
この空気調和機の室内機では、吸込口開閉部材が全開に開く前の第１開度まで開いたときに、送風部の駆動が開始される。このため、運転開始時の初期動作を迅速に行うことができる。
【００１０】
第５発明に係る空気調和機の室内機は、第１発明の空気調和機の室内機であって、冷媒と空気との間で熱交換を行う熱交換器と、熱交換器の温度を検知する温度検知部とをさらに備える。そして、制御部は、吸込口開動作が完了し且つ熱交換器の温度が所定温度に到達したときに送風部の駆動を開始させる。
この空気調和機の室内機では、吸込口開動作が完了し且つ熱交換器の温度が所定温度に到達したときに送風部の駆動が開始される。このため、暖房運転時の初期動作において室内に冷風が吹き出されることをより抑えることができる。
【００１１】
第６発明に係る空気調和機の室内機は、第１発明の空気調和機の室内機であって、制御部は、吸込口開動作が完了し且つ所定時間が経過した後に送風部の駆動を開始させる。
この空気調和機の室内機では、吸込口開動作が完了し且つ所定時間が経過した後に送風部の駆動が開始される。このため、運転停止状態において室内機の内部に籠もっていた空気がそのまま吹き出されることをより抑えることができる。
【００１２】
第７発明に係る空気調和機の室内機は、第１発明から第６発明のいずれかの空気調和機の室内機であって、送風部は送風ファンを有する。そして、制御部は、吸込口開動作が完了し且つ送風ファンの回転数が第１回転数に到達したときに吹出口開動作を開始させる。
この空気調和機の室内機では、送風ファンの回転数が第１回転数に達したときに吹出口開閉部材の開動作が開始される。従って、送風ファンの駆動開始時には吹出口開閉部材は吹出口開動作を開始しておらず吹出口を閉じた状態となっている。このため、運転停止状態において室内機の内部に籠もっていた空気がそのまま吹き出されることをより抑えることができる。
【００１３】
第８発明に係る空気調和機の室内機は、第７発明の空気調和機の室内機であって、制御部は、吹出口開動作の開始後に送風ファンの回転数を第１回転数から第２回転数へと増大させる。
この空気調和機の室内機では、吹出口開動作の開始時の前後で段階的に送風ファンの回転数が増大する。このため、運転開始時の初期動作を迅速に行うことができる。
【００１４】
第９発明に係る空気調和機の室内機は、第８発明の空気調和機の室内機であって、吹出口開動作において吹出口開閉部材は第４開度まで開く。そして、制御部は、吹出口開動作において吹出口開閉部材が第４開度より小さい第３開度まで開いたときに送風ファンの回転数を第１回転数から第２回転数へと増大させる。
この空気調和機の室内機では、吹出口開閉部材が吹出口開動作の途中の第３開度まで開いたときに送風ファンの回転数が増大する。このため、運転開始時の初期動作を迅速に行うことができる。
【００１５】
第１０発明に係る空気調和機の室内機は、第９発明の空気調和機の室内機であって、第４開度は吹出口開閉部材が全開に開いた開度である。
この空気調和機の室内機では、吹出口開閉部材が全開に開く前の第３開度まで開いたときに送風ファンの回転数が増大する。このため、運転開始時の初期動作を迅速に行うことができる。
【００１６】
第１１発明に係る空気調和機の室内機は、第１発明から第１０発明のいずれかの空気調和機の室内機であって、吹出口開閉部材は、吹出口から吹き出る空気を案内するフラップである。
この空気調和機の室内機では、フラップが、吹出口から吹き出る空気を案内する機能と、運転停止状態において吹出口を閉じる機能とを兼ねることができる。
【００１７】
第１２発明に係る空気調和機の室内機は、第１発明から第１１発明の空気調和機の室内機であって、吹出口開閉部材が吹出口を閉じた状態で吹出口との間に隙間が形成される。
この空気調和機の室内機では、吹出口開閉部材が吹出口を閉じた状態で吹出口との間に隙間が形成される。このため、吹出口開閉部材が吹出口を閉じた状態であっても隙間から僅かに空気が吹き出されることができる。これにより、室内機内部で空気をより効果的に攪拌することができ、吹出口が開かれた際に、運転停止状態において室内機の内部に籠もっていた空気がそのまま吹き出されることをより抑えることができる。
【００１８】
第１３発明に係る空気調和機の室内機の制御方法は、吸込口と吹出口とが設けられたケーシング部と、吸込口から吸い込まれ吹出口から吹き出される空気の流れを生成する送風部と、吸込口を開閉する吸込口開閉部材と、吹出口を開閉する吹出口開閉部材とを備える空気調和機の室内機の制御方法であって、吸込口開動作開始ステップと、送風部駆動開始ステップと、吹出口開動作開始ステップとを備える。吸込口開動作開始ステップでは、送風部が停止し且つ吸込口と吹出口とが閉じられた運転停止状態から、吸込口開閉部材が吸込口を開くように移動する吸込口開動作を開始させる。送風部駆動開始ステップでは、送風部の駆動を吸込口開動作の開始後に開始させる。吹出口開動作開始ステップでは、吹出口開閉部が吹出口を開くように移動する吹出口開動作を送風部の駆動開始後に開始させる。
【００１９】
この空気調和機の室内機の制御方法では、運転開始時に送風部の駆動よりも吸込口開動作が先に開始される。このため、運転開始動作が始まったことを遅滞なく確認することができる。また、この空気調和機の室内機の制御方法では、送風部の駆動開始後に吹出口開動作が開始されるため、送風部の駆動開始時には吹出口が吹出口開閉部材によって閉じられている。このため、運転停止状態において室内機の内部に籠もっていた空気がそのまま吹き出されることを抑えることができる。これにより、この空気調和機の室内機の制御方法では、運転開始時の初期動作における使用者の快適感の低下を抑えることができる。
【発明の効果】
【００２０】
第１発明に係る空気調和機の室内機では、使用者は、吸込口開閉部材の動作を目視することにより、運転開始動作が始まったことを遅滞なく確認することができる。また、運転停止状態において室内機の内部に籠もっていた空気がそのまま吹き出されることを抑えることができるため、運転開始時の初期動作における使用者の快適感の低下を抑えることができる。
【００２１】
第２発明に係る空気調和機の室内機では、吸込口開動作の開始後であって吸込口開動作の完了前に送風部の駆動が開始されるため、運転開始時の初期動作を迅速に行うことができる。
第３発明に係る空気調和機の室内機では、吸込口開閉部材が吸込口開動作の途中の第１開度まで開いたときに、送風部の駆動が開始されるため、運転開始時の初期動作を迅速に行うことができる。
【００２２】
第４発明に係る空気調和機の室内機では、吸込口開閉部材が全開に開く前の第１開度まで開いたときに、送風部の駆動が開始されるため、運転開始時の初期動作を迅速に行うことができる。
第５発明に係る空気調和機の室内機では、吸込口開動作が完了し且つ熱交換器の温度が所定温度に到達したときに送風部の駆動が開始されるため、暖房運転時の初期動作において室内に冷風が吹き出されることをより抑えることができる。
【００２３】
第６発明に係る空気調和機の室内機では、吸込口開動作が完了し且つ所定時間が経過した後に送風部の駆動が開始されるため、運転停止状態において室内機の内部に籠もっていた空気がそのまま吹き出されることをより抑えることができる。
第７発明に係る空気調和機の室内機では、送風ファンの駆動開始時には吹出口開閉部材は吹出口開動作を開始しておらず吹出口を閉じた状態となっているため、運転停止状態において室内機の内部に籠もっていた空気がそのまま吹き出されることをより抑えることができる。
【００２４】
第８発明に係る空気調和機の室内機では、吹出口開動作の開始時の前後で段階的に送風ファンの回転数が増大するため、暖房や冷房などの空気調和を迅速に開始することができる。
第９発明に係る空気調和機の室内機では、吹出口開閉部材が吹出口開動作の途中の第３開度まで開いたときに送風ファンの回転数が増大するため、送風ファンが受ける負荷を軽減させることができると共に運転開始時の初期動作を迅速に行うことができる。
【００２５】
第１０発明に係る空気調和機の室内機では、吹出口開閉部材が全開に開く前の第３開度まで開いたときに送風ファンの回転数が増大するため、送風ファンが受ける負荷を軽減させることができると共に運転開始時の初期動作を迅速に行うことができる。
第１１発明に係る空気調和機の室内機では、フラップが、吹出口から吹き出る空気を案内する機能と、運転停止状態において吹出口を閉じる機能とを兼ねることができる。
【００２６】
第１２発明に係る空気調和機の室内機では、吹出口開閉部材が吹出口を閉じた状態であっても隙間から僅かに空気が吹き出されることができるため、吹出口が開かれた際に、運転停止状態において室内機の内部に籠もっていた空気がそのまま吹き出されることをより抑えることができる。
第１３発明に係る空気調和機の室内機の制御方法では、運転停止状態において室内機の内部に籠もっていた空気がそのまま吹き出されることを抑えることができるため、運転開始時の初期動作における使用者の快適感の低下を抑えることができる。
【発明を実施するための最良の形態】
【００２７】
〔第１実施形態〕
＜空気調和機の全体構成＞
本発明の第１実施形態にかかる空気調和機１００の構成および冷媒回路の概略を図１に示す。
この空気調和機１００は、室内の壁面などに取り付けられる室内機１ａと、室外に設置される室外機１０１とを備えている。
【００２８】
この空気調和機１００の冷媒回路は、主として室内熱交換器１０（熱交換器）、アキュムレータ１０２、圧縮機１０３、四路切換弁１０４、室外熱交換器１０５および電動膨張弁１０６で構成される。
室内機１ａに設けられている室内熱交換器１０は、接触する空気との間で熱交換を行う。また、室内機１ａには、室内空気を吸い込んで室内熱交換器１０に通し熱交換が行われた後の空気を室内に排出するための送風ファン３１が設けられている。送風ファン３１は、室内機１ａ内に設けられるファンモータ３２によって回転駆動される。室内機１ａの詳細な構成については後に説明する。
【００２９】
室外機１０１には、圧縮機１０３と、圧縮機１０３の吐出側に接続される四路切換弁１０４と、圧縮機１０３の吸入側に接続されるアキュムレータ１０２と、四路切換弁１０４に接続された室外熱交換器１０５と、室外熱交換器１０５に接続された電動膨張弁１０６とが設けられている。電動膨張弁１０６は、フィルタ１０７および液閉鎖弁１０８を介して冷媒配管に接続されており、この冷媒配管を介して室内熱交換器１０の一端と接続される。また、四路切換弁１０４は、ガス閉鎖弁１０９を介して冷媒配管に接続されており、この冷媒配管を介して室内熱交換器１０の他端と接続されている。また、室外機１０１には、室外熱交換器１０５での熱交換後の空気を外部に排出するための室外ファン１１０が設けられている。この室外ファン１１０は、室外ファンモータ１１１によって回転駆動される。
【００３０】
＜室内機の構成＞
室内機１ａの外観を図２および図３に示す。図２は室内機１ａの正面図であり、図３は室内機１ａの側面図である。室内機１ａは、室内機ケーシング２と、送風部３（図４参照）、水平フラップ５、正面パネル６ａ、移動機構７（図７参照）、室内熱交換器１０（図４参照）、制御部８（図８参照）、リモコン９（図８参照）とを備えている。
【００３１】
〈室内機ケーシング〉
室内機ケーシング２（ケーシング部）は、図２に示すように、正面視において水平方向に長い長方形形状を有しており、図４に示すように、室内熱交換器１０、送風部３、図示しない制御部品などを収容する。室内機ケーシング２の正面には、正面パネル６ａが取り付けられている。正面パネル６ａについては、後に詳細に説明する。室内機ケーシング２には、吹出口２０、第１吸込口２１（吸込口）および第２吸込口２２が設けられている。なお、図４は、室内機１ａの側面断面図である。
【００３２】
吹出口２０は、室内へと吹き出される空気が通る開口であり、第１ケーシング面２３に設けられている。第１ケーシング面２３は、図３に示すように、室内機ケーシング２の底面の前側部分を構成しており、吹出口２０は、室内機ケーシング２の下部に設けられている。第１ケーシング面２３は、前端が上方に位置するように傾斜している。吹出口２０は、室内機ケーシング２の幅Ｗ方向（室内機ケーシング２の長手方向、図２参照）に細長い形状を有しており、水平フラップ５が設けられる。
【００３３】
図４に示す第１吸込口２１は、室内機ケーシング２内へと取り込まれる空気が通る開口であり、第２ケーシング面２４に設けられている。第２ケーシング面２４は、図３に示すように、室内機ケーシング２の正面すなわち前面を構成しており、第１吸込口２１は、室内機ケーシング２の正面に設けられる。第２ケーシング面２４は、上下方向に伸びる略平坦な形状となっているが、上端が前方に位置するように僅かに傾斜している。第２ケーシング面２４の下端は、第１ケーシング面２３の上端と連続しており、第２ケーシング面２４は、第１ケーシング面２３に対して所定角度をなしている。すなわち、第１ケーシング面２３と第２ケーシング面２４とは、屈曲した形状となっており、９０度以上１８０度未満の比較的緩やかな角度をなしている。
【００３４】
第２吸込口２２は、室内機ケーシング２内へと取り込まれる空気が通る開口であり、図５に示すように、室内機ケーシング２の天面２５に設けられている。第２吸込口２２は、室内機ケーシング２の幅Ｗ方向に伸びる複数のスリットによって構成されている。
［送風部］
送風部３は、送風ファン３１およびファンモータ３２を有している。図４に示す送風ファン３１は、長細い円筒形状に構成され、中心軸が水平方向に平行になるように配置されたクロスフローファンである。送風ファン３１の周面には羽根が設けられており、送風ファン３１が中心軸周りに回転することにより、空気流を生成する。この空気流は、第１吸込口２１および第２吸込口２２から取り入れられ室内熱交換器１０を通り吹出口２０から室内へと吹き出す空気の流れである。送風ファン３１は、側面視において室内機１ａの概ね中央に位置している。
【００３５】
ファンモータ３２（図１および図８参照）は、送風ファン３１を中心軸周りに回転駆動する。ファンモータ３２は、室内機１ａの正面視において送風ファン３１の右側方に送風ファン３１と同軸に配置されている。送風ファン３１は、後述する制御部８によって回転数を制御され、送風ファン３１による送風量が制御部８によって制御される。
［水平フラップ］
水平フラップ５（吹出口開閉部材）は、吹出口２０を開閉自在に設けられ、吹出口２０から吹き出される空気を案内する。水平フラップ５は、室内機ケーシング２の幅Ｗ方向に細長い略長方形形状を有し、室内機ケーシング２の幅Ｗ方向に平行な軸を中心に回動自在に吹出口２０に設けられる。水平フラップ５は、フラップモータ５０（図８参照）によって回転駆動される。水平フラップ５は、吹出口２０よりも僅かに小さい形状を有するが、図６に示すように、吹出口２０を閉じた状態の水平フラップ５の上端と室内機ケーシング２との間には、隙間Ｇが設けられている。隙間Ｇは吹出口と比べると極小さな開口であるが、この隙間Ｇが設けられることによって、水平フラップ５は、吹出口２０において制限少なく回動可能となっている。なお、図６は、正面パネル６ａを取り外した状態における室内機１ａの正面図である。
【００３６】
［正面パネル］
正面パネル６ａは、室内機ケーシング２の前面に設けられ、室内機ケーシング２から離反するように移動して第１吸込口２１を開き、室内機ケーシング２に近接するように移動して第１吸込口２１を閉じることにより第１吸込口２１を開閉する。また、正面パネル６ａは、閉状態において、室内機ケーシング２の少なくとも一部と、吹出口２０を閉じる水平フラップ５の少なくとも一端とを覆い、第１吸込口２１と吹出口２０とを閉じる。具体的には、正面パネル６ａは、図３および図４に示すように、水平フラップ５の長辺をなす上端近傍、第１ケーシング面２３および第２ケーシング面２４の途中までの部分に外側から重なる。従って、正面パネル６ａは、閉状態において、上述した水平フラップ５の上端と吹出口２０との間の隙間Ｇを覆う。正面パネル６ａは、室内機ケーシング２の第１ケーシング面２３および第２ケーシング面２４の屈曲に沿うように屈曲した形状を有している。正面パネル６ａは、室内機ケーシング２の幅Ｗ方向に吹出口２０よりも長い形状を有しており、室内機ケーシング２の幅Ｗと略同じ幅Ｗを有する。また、正面パネル６ａは、図２に示すように、正面視において上下方向に伸びる継ぎ目を有さない。正面パネル６ａは、第１パネル部６１ａと第２パネル部６２ａ（吸込口開閉部材）とを有する。
【００３７】
第１パネル部６１ａは、正面パネル６ａの閉状態において、水平フラップ５の上端を覆う部分である。第１パネル部６１ａは、正面パネル６ａの下部を構成している。
第２パネル部６２ａは、正面パネル６ａの閉状態において、第１吸込口２１を覆う部分である。第２パネル部６２ａは、正面パネル６ａの上部を構成している。
第１パネル部６１ａの上端と第２パネル部６２ａの下端とは連続しており、第１パネル部６１ａと第２パネル部６２ａとは、正面パネル６ａの閉状態において、第１ケーシング面２３および第２ケーシング面２４に沿うように所定角度で一体化されている。
【００３８】
なお、正面パネル６ａは、両側端をそれぞれ第１支持部材７１によって支持されている（図９参照）。２つの第１支持部材７１は、室内機ケーシング２の両側端に設けられており、それぞれ前後に移動可能に設けられている。これらの第１支持部材７１が移動することによって正面パネル６ａが移動する。
［移動機構］
図７に示す移動機構７は、第１吸込口２１が所望の開度で開かれるように正面パネル６ａを移動させる。移動機構７は、正面パネル６ａが第１吸込口２１を閉じた閉状態（図１０（ａ）の状態）と、正面パネル６ａが閉状態から前方へと移動して第１吸込口２１を開いた第１運転状態（図１０（ｂ）の状態）と、正面パネル６ａが第１状態からさらに前方へと移動して第１吸込口２１をさらに大きく開いた第２運転状態（図１０（ｃ）の状態）とに正面パネル６ａを移動させる。正面パネル６ａが閉状態から第１運転状態へと移行する場合には、正面パネル６ａは平行移動し、正面パネル６ａが第１運転状態から第２運転状態へと移行する場合には、正面パネル６ａは回転移動する。正面パネル６ａが第１運転状態であるとき、第１吸込口２１は第１運転開度で開かれる。また、正面パネル６ａが第２運転状態であるとき、第１吸込口２１は第１運転開度よりも大きい最大開度である第２運転開度で開かれる。移動機構７は、第１支持部材７１と、第２支持部材７２と、パネル駆動モーター７３（図８参照）を有する。
【００３９】
第１支持部材７１は、正面パネル６ａの側端に正面パネル６ａに略垂直に固定されて正面パネル６ａを支持する板状の部材であり、正面パネル６ａの左側端と右側端とのそれぞれに設けられる。第１支持部材７１の上端は、前側が上方に位置し後側が下方に位置するように傾斜しており、後述する第２ピニオンギヤ７９と螺合するラックギヤ７４が第１支持部材７１の上端に沿って設けられている。また、第１支持部材７１の中央部分には、第１スリット部７５、第２スリット部７６、第３スリット部７７が設けられている。第１スリット部７５、第２スリット部７６、第３スリット部７７は、それぞれ第１支持部材７１の両面に貫通するスリットであり、第１支持部材７１と同様に前側が上方に位置し後側が下方に位置するように傾斜した形状となっている。第１スリット部７５は、後下方から前上方へ直線状に延びる直線部分７５１と、直線部分７５１の後端に連続し下方に僅かに凹んで湾曲した湾曲部７５２を有している。第２スリット部７６および第３スリット部７７も第１スリット部７５と同様の形状である。第２スリット部７６は第１スリット部７５の下方に位置し、第３スリット部７７は第２スリット部７６の下方に位置している。また、第１スリット部７５、第２スリット部７６、第３スリット部７７はそれぞれ平行に配置されている。
【００４０】
第２支持部材７２は、第１支持部材７１を平行移動および回転移動可能に支持する部材であり、室内機ケーシング２の右側面の内側と左側面の内側にそれぞれ取り付けられている。第２支持部材７２は、互いに螺合する第１ピニオンギヤ７８と第２ピニオンギヤ７９とを有している。第１ピニオンギヤ７８は、パネル駆動モーター７３の回転を第２ピニオンギヤ７９へと伝達する。第２ピニオンギヤ７９は、第１ピニオンギヤ７８から伝達された回転を前述したラックギヤ７４に伝達する。また、第２支持部材７２の中央部付近には、第１支持爪７２１と第２支持爪７２２とが設けられている。第１支持爪７２１は、第２支持部材７２の表面から突出する円筒形状を有しており、第１支持部材７１の第１スリット部７５に挿入される。第１支持爪７２１は、第１スリット部７５に係止して第１支持部材７１を支持する。第２支持爪７２２も、第１支持爪７２１と同様に第２支持部材７２の表面から突出する円筒形状を有しており、第１支持部材７１の第３スリット部７７に挿入される。第２支持爪７２２は、第３スリット部７７に係止して第１支持部材７１を支持する。第１支持爪７２１および第２支持爪７２２は、正面パネル６ａが開閉動作を行う際に、第１スリット部７５および第２スリット部７６に対して摺動し、前後に移動する正面パネル６ａを支持する。
【００４１】
図８に示すパネル駆動モーター７３は、制御部８の制御を受けて回転駆動される。パネル駆動モーター７３は、第１ピニオンギヤ７８に回転を伝達し、第１支持部材７１を第２支持部材７２に対して移動させる。
［制御部］
図８に示す制御部８は、後述するリモコン９から指示を受けて、上述した移動機構７のパネル駆動モーター７３、ファンモータ３２、フラップモータ５０などを制御する。また、室内機１ａには、室内熱交換器１０の温度を検知する温度センサー５２（温度検知部）が備えられており、検知された温度に基づいて各種の運転制御を行うことができる。制御部８が指示を受ける運転モードには、通常の冷房・暖房運転、パワフル運転などがある。パワフル運転は、通常の冷房・暖房運転よりも冷房・暖房能力を増大させて室内の冷房・暖房を迅速に行う運転モードである。
【００４２】
制御部８は、通常の冷房・暖房運転モードの指令を受けた時は、ファンモータ３２を制御して送風ファン３１による出力を第１風量とすると共に、パネル駆動モーター７３を制御して正面パネル６ａを第１運転状態に移行させて第１吸込口２１を第１運転開度で開く。
また、制御部８は、パワフル運転の指令を受けた時は、ファンモータ３２を制御して送風ファン３１の出力を第１風量よりも大きい第３風量とすると共に、パネル駆動モーター７３を制御して正面パネル６ａを第２運転状態として、第１吸込口２１を第２運転開度で開く。
【００４３】
なお、制御部８は、運転停止の指令を受けた時は、ファンモータ３２を制御して送風ファン３１を止め、フラップモータを制御して吹出口２０を閉じると共に、パネル駆動モーター７３を制御して正面パネル６ａを閉状態とする。
［リモコン］
リモコン９は、使用者等が室内機の運転内容を指示するための装置であり、使用者等はリモコン９上に設けられた複数の操作ボタンを用いて運転内容をリモコン９に入力することができる。リモコン９は、室内機１ａの電源のオン・オフ、通常暖房運転、通常冷房運転、パワフル運転などの運転モードの選択、温度設定、タイマー設定などの入力を受けて指令信号を赤外線通信などの通信手段によって制御部８へ送信する。
【００４４】
＜開閉動作＞
次に、正面パネル６ａの開閉動作について図９および図１０に基づいて詳細に説明する。
水平フラップ５によって吹出口２０が閉じられると共に正面パネル６ａによって第１吸込口２１が閉じられた閉状態では、図９（ａ）に示すように、第１支持部材７１の第１スリット部７５の前端と第１支持爪７２１とが近接し、第１支持部材７１の第３スリット部７７の前端と第２支持爪７２２とが近接しており、正面パネル６ａは、図１０（ａ）に示すように、第１吸込口２１を覆うと共に水平フラップ５の上端を覆っている。この閉状態において、第１パネル部６１ａは、水平フラップ５の上端、水平フラップ５の上端と吹出口２０との間の隙間Ｇおよび第１ケーシング面２３の吹出口２０近傍を覆う。また、第２パネル部６２ａは、第２ケーシング面２４を覆う。正面パネル６ａは、屈曲した形状を有しており、閉状態では、第１ケーシング面２３および第２ケーシング面２４に沿って、第１ケーシング面２３および第２ケーシング面２４に近接した状態となる。これにより、室内機１ａの運転停止状態においては、水平フラップ５の上端から第１吸込口２１までの部分が外部から隠蔽される。
【００４５】
正面パネル６ａが閉状態から第１運転状態へ移行する場合、第１支持部材７１は、図９（ｂ）に示すように、第１スリット部７５の直線部分７５１の後端が第１支持爪７２１に近接し第３スリット部７７の直線部分７７１の後端が第２支持爪７２２に近接する方向に移動する。このとき、第１スリット部７５の直線部分７５１は第１支持爪７２１に対して摺動し、第３スリット部７７の直線部分７７１は第２支持爪７２２に対して摺動する。これにより、第１支持部材７１は、斜め前上方に平行移動し、正面パネル６ａは、図１０（ｂ）に示すように、斜め前上方へと平行移動する（矢印Ａ１参照）。このとき、第１パネル部６１ａが第１ケーシング面２３に沿って斜め前上方へと移動すると共に第２パネル部６２ａが第２ケーシング面２４から離れるように斜め前上方へと移動することによって、正面パネル６ａは吹出口２０および第１吸込口２１を開く。このとき、第１パネル部６１ａは、下端が吹出口２０の上端を越える位置まで移動して第１パネル部６１ａが吹出口２０からの吹き出しを妨げないようにされると共に、第１パネル部６１ａが第２パネル部６２ａと第２ケーシング面２４との間の下部を塞ぐ。そして、吹出口２０を閉じていた水平フラップ５が回動することによって、吹出口２０が開かれる。また、この状態においては、図１１に示すように、第２パネル部６２ａと第２ケーシング面２４との間の上部は開かれており、第１吸込口２１から取り込まれる空気が通ることができる。なお、第１運転状態においては、第２パネル部６２ａと第２ケーシング面２４との間の両側部は第１支持部材７１によって塞がれており、この第１支持部材７１が目隠し板となって外部から第１吸込口２１を通して室内機ケーシング２の内部が見えないようにされている。
【００４６】
さらに、正面パネル６ａが第１運転状態から第２運転状態へと移行する場合、第１支持部材７１は、図９（ｃ）に示すように、第１スリット部７５の湾曲部７５２が第１支持爪７２１に係止され、第３スリット部７７の湾曲部７７２が第２支持爪７２２に係止されるように移動する。これにより、第１支持部材７１は回転移動し、正面パネル６ａは、図１０（ｂ）に示すように上端が前方へ倒れるように回転移動する（矢印Ａ２参照）。このとき、第１パネル部６１ａの下端は第１運転状態における位置のままであり、正面パネル６ａが第１パネル部６１ａの下端を中心に回転することによって、第２パネル部６２ａの上端が前方へ向けて回転移動する。これにより、第２パネル部６２ａと第２ケーシング面２４との間の上部がさらに開かれ、第１吸込口２１がさらに開かれて第２運転開度となる。
【００４７】
なお、正面パネル６ａが第２運転状態から第１運転状態へと移行する場合には、正面パネル６ａが上記とは逆に回転移動する。また、閉状態に戻る場合には、水平フラップ５が回動して吹出口２０を閉じた後、正面パネル６ａが上記とは逆に平行移動して、水平フラップ５の上端から第１吸込口２１までの部分が再び外部から隠蔽される。
＜運転開始時の初期動作＞
上記のような開閉動作のうち、送風ファン３１が停止し且つ第１吸込口２１と吹出口２０とが閉じられた運転停止状態から運転を開始するときの初期動作について、図１２、図１３および図１４に基づいて詳細に説明する。図１２および図１３は、初期動作における制御部８による制御フローを示しており、図１４は、送風ファン３１と、水平フラップ５と、正面パネル６ａの動作のタイミングチャートを示している。
【００４８】
まず、第１ステップＳ１において、運転開始の指示の有無が判断される。ここでは、リモコン９から運転開始の指令信号を受信したか否かが判断される。
運転開始の指令信号を受信した場合は、第２ステップＳ２（吸込口開動作開始ステップ）において、吸込口開動作が開始される。ここで、吸込口開動作とは、正面パネル６ａが第１吸込口２１を閉じた状態から第２開度まで開くように移動する動作である。なお、第２開度とは、正面パネル６ａの可動範囲の上限、すなわち全開に第１吸込口２１を開いた状態の開度であり、上記の第２運転開度と同じである。なお、運転開始の指令信号が受信されると室外機１０１の圧縮機１０３も駆動される。
【００４９】
吸込口開動作が開始された後、第３ステップＳ３において正面パネル６ａの開度が第１開度に達したか否かが判断される。正面パネル６ａの開度が第１開度に達した場合には、第４ステップＳ４（送風部駆動開始ステップ）において、送風ファン３１の駆動が開始される。ここで、第１開度とは、全開状態の第２開度よりも小さい開度である。送風ファン３１は、吸込口開動作開始後であって、正面パネル６ａが第２開度まで開いた状態、すなわち、吸込口開動作が完了していない吸込口開動作の途中の状態において、駆動を開始する。
【００５０】
送風ファン３１の駆動が開始されると、第５ステップＳ５において送風ファン３１の回転数が第１回転数に達したか否かが判断される。送風ファン３１の回転数が第１回転数に達すると、第６ステップＳ６において、送風ファン３１の回転数が第１回転数のまま暫く保持される。なお、運転開始時の初期動作においては送風ファン３１の回転数は、最終的に第２回転数まで増大するため、初期動作においては送風ファン３１の回転数が段階的に増大するといえる。
【００５１】
次に、第７ステップＳ７において、正面パネル６ａの開度が第２開度に達したか否かが判断される。正面パネル６ａの開度が第２開度に達した場合には、第８ステップＳ８において吸込口開動作が停止されると共に、第９ステップＳ９（吹出口開動作開始ステップ）において、吹出口開動作が開始される。すなわち、正面パネル６ａが全開に開いて吸込口開動作が完了すると共に、送風ファン３１が駆動開始後に所定の回転数に達した場合に、吹出口開動作が開始される。ここで、吹出口開動作とは、水平フラップ５が吹出口２０を閉じた状態から第４開度まで開くように移動する動作である。なお、第４開度とは、水平フラップ５の可動範囲の上限、すなわち全開に第１吸込口２１を開いた状態の開度である。
【００５２】
吹出口開動作が開始されると、第１０ステップＳ１０において水平フラップ５の開度が第３開度に達したか否かが判断される。水平フラップ５の開度が第３開度に達すると第１１ステップＳ１１において、送風ファン３１の回転数が上げられる。ここでは、第１回転数に保持されていた送風ファン３１の回転数が第１回転数からさらに高回転に駆動される。なお、第３開度とは、全開状態の第４開度よりも小さい開度である。すなわち、吹出口開動作開始後であって水平フラップ５が第３開度まで開いた吹出口開動作完了前において送風ファン３１の回転数が増大される。
【００５３】
そして、第１２ステップＳ１２において送風ファン３１の回転数が第２回転数に達したか否かが判断される。送風ファン３１の回転数が第２回転数に達すると、第１３ステップＳ１３において、送風ファン３１の回転数が第２回転数に保持される。
この間、水平フラップ５は、吹出口開動作を続けており、第１４ステップＳ１４において、水平フラップ５の開度が第４開度に達したか否かが判断される。水平フラップ５の開度が第４開度に達すると、暫く第４開度のまま保持された後、第１５ステップＳにおいて、水平フラップ５が第５開度に開かれる。第５開度とは設定された運転モードに対応した開度である。
【００５４】
＜特徴＞
（１）
この空気調和機１００の室内機１ａでは、リモコン９から運転開始の指令信号が送信された後、遅滞なく吸込口開動作が開始される。このため、運転開始時の初期動作において、使用者等に運転開始の指令信号が無事に受信されたことを正面パネル６ａの移動によって確認することができる。
【００５５】
（２）
送風ファン３１の駆動開始時には、吹出口開動作の開始前であり、吹出口２０は水平フラップ５によって閉じられている。このため、室内機１ａが運転を停止していた間に室内機１ａの内部に籠もっていた空気がそのまま室内へ吹き出されることが防止される。また、送風ファン３１の駆動開始時には、正面パネル６ａが吸込口開動作を行っている途中であり、第１吸込口２１が開かれている。このため、室内の空気が第１吸込口２１より室内機内に取り込まれ、室内機１ａの内部の空気が攪拌される。このため、吹出口開動作開始後に吹出口２０から室内へと吹き出される空気による臭いや冷気が緩和される。これにより、臭いや冷気による使用者等への不快感の発生を抑えることができる。
【００５６】
（３）
水平フラップ５が吹出口２０を閉じると共に正面パネル６ａが開かれた状態においては隙間Ｇが形成されるため、水平フラップ５が吹出口２０を閉じた状態であっても送風ファン３１の駆動により生成される空気流の逃げ道が確保される。このため、内部の空気を効果的に攪拌することができ、内部に籠もった空気の臭いを低減することができる。また、この隙間Ｇは吹出口２０と比べて小さなものであるため、吹出口２０が開かれた状態で送風ファン３１が駆動される場合よりも、臭いや冷気による使用者等への不快感の発生を十分に抑えることができる。
〔第２実施形態〕
第２実施形態では、空気調和機１００の室内機１ａは、冷風の発生をより強く防止可能な冷風防止運転や不快感を与える臭いの発生をより強く防止可能な臭い防止運転を運転開始時の初期動作において行う。冷風防止運転は、送風ファン３１の駆動開始前に圧縮機１０３を駆動させて室内熱交換器１０を高温にすることによって、室内機１ａの内部の空気を暖める。臭い防止運転では、送風ファン３１の駆動開始前に圧縮機１０３を駆動させて室内熱交換器１０を低温にすることによって、室内熱交換器１０に結露を生じさせる。室内機１ａの内部の空気に含まれた臭い成分が結露により生じた水分に吸着されることによって、臭いの発生を防止することができる。
【００５７】
上記の第１実施形態における運転開始時の初期動作では、吸込口開動作の途中で送風ファン３１の駆動が開始されているが、本実施形態では、図１５に示すように、吸込口開動作が完了し且つ室内熱交換器１０の温度が所定温度に到達したときに送風ファン３１の駆動が開始される。ここでは、吸込口開動作の完了後に温度センサー５２が検知した室内熱交換器１０の温度が所定温度に到達したか否かの判断が制御部８によって行われ、室内熱交換器１０の温度が所定温度に到達したときに送風ファン３１の駆動が開始される。なお、運転開始の指令信号が受信されたときから圧縮機１０３は駆動を開始されており、室内熱交換器１０の温度調整が開始されている。
【００５８】
吸込口開動作の開始のタイミングや送風ファン３１の回転数の増大のタイミングについては第１実施形態と同様である。また、他の構成や制御についても第１実施形態と同様である。
このような空気調和機１００の室内機１ａでは、水平フラップ５が移動して吹出口２０が開かれたときには、室内熱交換器１０の温度がすでに所定温度に到達している。ここで、室内熱交換器１０の温度が高温となっている場合には、吹出口２０から室内へと吹き出される空気は室内熱交換器１０によって暖められた後に室内へと吹き出される。これにより、運転開始時において冷風が室内に吹き出されることをより抑えることができる。また、室内熱交換器１０の温度が低温となっている場合には、室内熱交換器１０の表面に結露を生じさせ、室内機１ａ内部の空気中の臭い成分を発生した水滴に吸収させることができる。これにより、運転開始時において不快な臭いが発生することをより抑えることができる。
【００５９】
なお、温度センサー５２によって検知された温度が所定温度に達するか判断される代わりに、運転開始の指示信号が受信されてからの経過時間が所定時間に達したか否かが判断されても良い。すなわち、吸込口開動作が完了後も経過時間が所定時間に到達するまでは送風ファン３１の駆動が開始されず、この間に室内熱交換器１０の温度が所定温度に到達することができるため、上記と同様の効果を奏することができる。なお、経過時間の測定開始時は運転開始の指示信号の受信時に限らず、圧縮機１０３の駆動開始時や、吸込口開動作の開始時などであってもよい。
〔第３実施形態〕
上記の実施形態では、正面パネル６ａが一体のパネルによって構成されているが、図１６に示す室内機１ｂのように、正面パネル６ｂが複数の別体のパネルによって構成されてもよい。
【００６０】
＜正面パネルの構成＞
正面パネル６ｂは、図１６（ａ）に示すように、室内機ケーシング２の前面の略全体を覆う。正面パネル６ｂは、正面視において吹出口２０と第１吸込口２１とを覆い、吹出口２０と第１吸込口２１とを開閉する。正面パネル６ｂは、継目の無い複数のパネルが集合したパネル集合体であり、第１パネル部６１ｂと第２パネル部６２ｂ（吸込口開閉部材）と第３パネル部６３ｂとを有している。
【００６１】
〈第１パネル部〉
第１パネル部６１ｂは、室内機ケーシング２の前面の下方に、吹出口２０を開閉するように移動可能に配置されており、吹出口２０を覆うように設けられる。第１パネル部６１ｂは、図示しない移動機構によって上下方向に平行移動可能に左右両端近傍を支持されており、吹出口２０を開閉する。第１パネル部６１ｂは、継目を有さない長方形の平板状の部材であり、正面視における室内機ケーシング２の幅Ｗと略同じ幅を有する。第１パネル部６１ｂの表側は、凹凸および穴などの開口部のない滑らかな概ね平坦な形状に形成されている。この第１パネル部６１ｂは、吹出口２０を閉じた状態においては、図１６（ａ）および図１７（ａ）のように、上下方向に平行な状態となる。また、この状態では、第１パネル部６１ｂは、正面視において吹出口２０よりも大きな投影面積を有する。従って、第１パネル部６１ｂは、吹出口２０を閉じた状態においては、吹出口２０を含む室内機ケーシング２の前面の下方を完全に覆う。また、第１パネル部６１ｂは、パール粒子などの輝度を有する粒子が混入された透明樹脂によって成型されており、粒子が混入された透明樹脂層を有している。そして、透明樹脂層の裏側には、色彩や模様等が表された塗料層が設けられている。この塗料層は、第１パネル部６１ｂの裏側から塗装を施すことによって形成される。このように、第１パネル部６１ｂは、意匠性が高く、使用者等の目に触れ易い前面に配置されることにより室内機１ｂの意匠性を高める意匠パネルとして機能する。
【００６２】
〈第２パネル部〉
第２パネル部６２ｂは、室内機ケーシング２の前面の上方に、第１吸込口２１を開閉するように移動可能に配置されており、第１吸込口２１を覆うように設けられる。第２パネル部６２ｂは、図示しない移動機構によって前後方向に移動可能に左右両端近傍を支持されており、第１吸込口２１から離れるように移動することによって第１吸込口２１を開き、第１吸込口２１に近接するように移動することによって第１吸込口２１を閉じる。第２パネル部６２ｂは、継目を有さない長方形の平板状の部材であり、正面視において第１吸込口２１を含む室内機ケーシング２の幅Ｗと略同じ幅を有する。第２パネル部６２ｂの表側は、凹凸および穴などの開口部のない滑らかな概ね平坦な形状に形成されている。この第２パネル部６２ｂは、第１吸込口２１を閉じた状態においては、図１６（ａ）および図１７（ａ）のように、上下方向に平行な状態となる。また、第２パネル部６２ｂは、正面視において第１吸込口２１よりも大きな投影面積を有する。従って、第２パネル部６２ｂは、第１吸込口２１を閉じた状態においては、第１吸込口２１を含む室内機ケーシング２の前面の上半分を完全に覆う。また、第２パネル部６２ｂは、第１パネル部６１ｂと同様に、パール粒子などの輝度を有する粒子が混入された透明樹脂によって成型されており、粒子が混入された透明樹脂層を有している。そして、透明樹脂層の裏側には、色彩や模様等が表された塗料層が設けられている。この塗料層は、第２パネル部６２ｂの裏側から塗装を施すことによって形成される。このように、第２パネル部６２ｂは、意匠性が高く、使用者等の目に触れ易い前面に配置されることにより室内機１ｂの意匠性を高める意匠パネルとして機能する。
【００６３】
〈第３パネル部〉
第３パネル部６３ｂは、第１パネル部６１ｂと第２パネル部６２ｂとの間に配置されている。第３パネル部６３ｂは、正面視において継目を有さない長方形の形状を有している。第３パネル部６３ｂは、室内機ケーシング２と略同じ幅Ｗを有し、上下方向に第１パネル部６１ｂと略同じ長さを有する。第３パネル部６３ｂの表側は、凹凸および穴などの開口部のない滑らかな概ね平坦な形状に形成されている。第３パネル部６３ｂは、図１７（ａ）に示すように、左右端部近傍が室内機ケーシング２の左右の側面にそれぞれ固定されており、第３パネル部６３ｂの前面部分が室内機ケーシング２の前面に対して前後方向に隙間を隔てるように配置されている。すなわち、第３パネル部６３ｂの前面部分の後方には、室内機ケーシング２との間に隙間が形成されている。この隙間は、下方に配置された第１パネル部６１ｂの厚さよりも僅かに大きく形成されており、吹出口２０を開くために移動する第１パネル部６１ｂを収容する空間となっている（図１７ｃ参照）。また、第３パネル部６３ｂは、不透明な樹脂材料から成型されている。
【００６４】
このように、第１パネル部６１ｂは、吹出口２０を閉じた状態においては、吹出口２０を含む室内機ケーシング２の前面の下方を完全に覆い、第２パネル部６２ｂは、第１吸込口２１を閉じた状態においては、第１吸込口２１を含む室内機ケーシング２の前面の上方を完全に覆う。また、第１パネル部６１ｂ、第２パネル部６２ｂおよび第３パネル部６３ｂは、上下に並んで配置されており、吹出口２０および第１吸込口２１が閉じられた状態では、略平坦な長方形の平面を構成するように配置される。第１パネル部６１ｂ、第２パネル部６２ｂおよび第３パネル部６３ｂによって構成される正面パネル６ｂは、吹出口２０および第１吸込口２１が閉じられた状態では室内機１ｂの前面の略全体を覆い、第１パネル部６１ｂ、第２パネル部６２ｂおよび第３パネル部６３ｂの境目にできる継目のみが正面視において表れる。すなわち、第１パネル部６１ｂと第３パネル部６３ｂとの境目および第２パネル部６２ｂと第３パネル部６３ｂとの境目によって形成される水平方向に延びる継目のみが正面視において表れる。さらに、第１パネル部６１ｂ、第２パネル部６２ｂおよび第３パネル部６３ｂは上下方向に平行となっており、正面パネル６ｂは、吹出口２０および第１吸込口２１を閉じた状態において、上下方向に平行な平坦面を形成している。この空気調和機１００の室内機１ｂでは、正面パネル６ｂがこのような平坦な形状とされることにより、美観が向上している。
【００６５】
＜開閉動作＞
次に、正面パネル６ｂの開閉動作について図１７に基づいて詳細に説明する。
正面パネル６ｂの閉状態では、第１パネル部６１ｂおよび第２パネル部６２ｂは、吹出口２０および第１吸込口２１を閉じており、図１７（ａ）に示すように、第１パネル部６１ｂ、第２パネル部６２ｂおよび第３パネル部６３ｂは、上下方向に平行に側面視において略一直線上に並ぶように配置される。また、第１パネル部６１ｂ、第２パネル部６２ｂおよび第３パネル部６３ｂの表側は略平坦になっている。なお、水平フラップ５は、水平面に平行になるように位置しており、水平面に平行な室内機１ｂの底面を構成している（図１６参照）。
【００６６】
次に、図１７（ｂ）に示すように、第１パネル部６１ｂは、上下方向上向きに平行移動して吹出口２０を開く。第１パネル部６１ｂが上下方向上向きに移動すると、第１パネル部６１ｂの上端が第３パネル部６３ｂの後方の隙間に挿入される。第１パネル部６１ｂがさらに上方へと移動すると、図１７（ｃ）に示すように、第１パネル部６１ｂが、第３パネル部６３ｂと室内機ケーシング２との間の隙間に収容され、第３パネル部６３ｂの後方に隠れた状態となる。すなわち、第１パネル部６１ｂの略全体が、第３パネル部６３ｂに重なった状態となる。
【００６７】
また、このような第１パネル部６１ｂの移動にリンクして第２パネル部６２ｂも移動する。このとき、図１７（ｂ）に示すように、第２パネル部６２ｂは、前方へと移動すると共に、正面視における左右方向に平行な軸を中心に回動する。第２パネル部６２ｂは、その下端近傍を中心にして、上端が前方へ向けて傾斜するように回動する。第２パネル部６２ｂは、図１７（ｃ）に示すように、さらに移動して室内機ケーシング２と第２パネル部６２ｂとの間に隙間が形成される。これにより、第１吸込口２１が開かれる。そして、第２パネル部６２ｂの上端と室内機ケーシング２との間の隙間から空気が吸込まれ、第１吸込口２１から室内機１ｂの内部に空気が吸込まれる。
【００６８】
上記のように正面パネル６ｂが移動して吹出口２０と第１吸込口２１とが開かれると、水平フラップ５が、設定された運転モードに対応した吹出し角度となるように回転移動する。
室内機１ｂの運転停止時には、第１パネル部６１ｂおよび第２パネル部６２ｂが上記と逆に移動し、正面パネル６ｂは平坦な状態へと戻る。また、水平フラップ５は、水平面に平行になるように移動して吹出口２０の下方を閉じる。
【００６９】
＜運転開始時の初期動作＞
この室内機１ｂの運転開始時の初期動作においては、第１実施形態における吸込口開動作において正面パネル６ａが移動する代わりに第２パネル部６２ｂが移動する。そして、吹出口開動作において水平フラップ５が移動する代わりに第１パネル部６１ｂと水平フラップ５とが移動する。他の動作については第１実施形態と同様である。なお、第１パネル部６１ｂと水平フラップ５とは同時に移動を開始するのではなく、第１パネル部６１ｂが先に開いた後に水平フラップ５の移動が開始されてもよい。
【００７０】
＜特徴＞
この室内機１ｂにおいても第１実施形態と同様に、運転開始時の初期動作において、使用者等に運転開始の指令信号が無事に受信されたことを第２パネル部６２ｂの移動によって確認することができる。また、臭いや冷気による使用者等への不快感の発生を抑えることができる。
【００７１】
さらに、この室内機１ｂでは、運転停止状態において、正面パネル６ｂが室内機１ｂの正面全体を覆う。そして、正面パネル６ｂは、鉛直方向に平行な平坦面を形成する。このため、室内機１ｂの運転停止時には、正面視において使用者等の視野には平坦な正面パネル６ｂのみが表れる。また、正面パネル６ｂの表面には、第１パネル部６１ｂと第２パネル部６２ｂと第３パネル部６３ｂとの境界である横方向（水平方向）に延びる継目のみが表れ、他の継目は表れない。従って、この室内機１ｂでは、正面視において、縦方向（鉛直方向）に延びる継目が表れることがなく、横方向に延びる継目も最低限となっている。このため、この空気調和機１００の室内機１ｂでは、正面視における室内機１ｂの運転停止状態の外観と室内の壁面とが調和し、美観が向上する。
〔第４実施形態〕
第３実施形態においては、正面パネル６ｂが３枚のパネルによって構成されているが、図１８に示す室内機１ｃのように、正面パネル６ｃが２枚のパネルによって構成されてもよい。以下、この空気調和機１００の室内機１ｃにおける正面パネル６ｃの構成および運転開始時の正面パネル６ｃの動作について説明する。他の構成および正面パネル６ｃの動作のタイミング等については、第２実施形態に係る室内機１ｂと同様である。
【００７２】
＜正面パネルの構成＞
この室内機１ｃは室内機ケーシング２の正面の略全体を覆う正面パネル６ｃを備える。正面パネル６ｃは、継目の無い２枚のパネルが集合したパネル集合体であり、第１パネル部６１ｃと第２パネル部６２ｃ（吸込口開閉部材）と有している。
第１パネル部６１ｃは、室内機ケーシング２の正面の下方に配置されている。第１パネル部６１ｃは、図示しない移動機構によって上下方向に平行移動可能に支持されており、吹出口２０を開閉する。第１パネル部６１ｃは、継目を有さない長方形の平板状の部材であり、正面視における室内機ケーシング２の幅Ｗと略同じ幅を有する。第１パネル部６１ｃは、吹出口２０を閉じた状態においては、図１８（ｂ）のように、鉛直方向に平行な状態となる。また、この状態では、第１パネル部６１ｃは、正面視において吹出口２０よりも大きな投影面積を有する。従って、第１パネル部６１ｃは、吹出口２０を閉じた状態においては、吹出口２０を含む室内機ケーシング２の正面の下方を完全に覆う。
【００７３】
第２パネル部６２ｃは、室内機ケーシング２の正面の上方に配置されている。第２パネル部６２ｃは、図示しない移動機構によって移動可能に支持されており、第１吸込口２１を開閉する。第２パネル部６２ｃは、継目を有さない長方形の平板状の部材であり、正面視において第１吸込口２１を含む室内機ケーシング２の幅Ｗと略同じ幅を有する。第２パネル部６２ｃは、第１吸込口２１を閉じた状態においては、図１８（ｂ）のように、鉛直方向に平行な状態となる。また、第２パネル部６２ｃは、正面視において第１吸込口２１よりも大きな投影面積を有する。従って、第２パネル部６２ｃは、第１吸込口２１を閉じた状態においては、第１吸込口２１を含む室内機ケーシング２の正面の上半分を完全に覆う。
【００７４】
このように、第１パネル部６１ｃは、吹出口２０を閉じた状態においては、吹出口２０を含む室内機ケーシング２の正面の下方を完全に覆い、第２パネル部６２ｃは、第１吸込口２１を閉じた状態においては、第１吸込口２１を含む室内機ケーシング２の正面の上方を完全に覆う。また、第１パネル部６１ｃおよび第２パネル部６２ｃは、上下に並んで配置されており、吹出口２０および第１吸込口２１が閉じられた状態では、略平坦な長方形の平面を構成するように配置される。第１パネル部６１ｃおよび第２パネル部６２ｃによって構成される正面パネル６ｃは、吹出口２０および第１吸込口２１が閉じられた状態では室内機１ｃの前面の略全体を覆い、第１パネル部６１ｃおよび第２パネル部６２ｃの境目にできる継目のみが正面視において表れる。すなわち、正面パネル６ｃでは、第１パネル部６１ｃと第２パネル部６２ｃとの境目によって形成される水平方向に延びる継目のみが正面視において表れる。
【００７５】
＜開閉動作＞
次に、正面パネル６ｃの開閉動作について図１９に基づいて詳細に説明する。
正面パネル６ｃの閉状態では、第１パネル部６１ｃおよび第２パネル部６２ｃは、吹出口２０および第１吸込口２１を閉じており、図１９（ａ）に示すように、第１パネル部６１ｃおよび第２パネル部６２ｃは、鉛直方向に平行に側面視において略一直線上に並んで配置されている。また、第１パネル部６１ｃおよび第２パネル部６２ｃの表面は略平坦になっている。
【００７６】
次に、第１パネル部６１ｃおよび第２パネル部６２ｃが移動して、吹出口２０および第１吸込口２１が開かれる。
図１９（ｂ）に示すように、第２パネル部６２ｃは、第１吸込口２１から離れるように前方へと移動すると共に、正面視における左右方向に平行な軸を中心に回動する。第２パネル部６２ｃは、その下端近傍を中心にして、上端が前方へ向けて傾斜するように回動する。第２パネル部６２ｃは、図１９（ｃ）に示すように、さらに移動して室内機ケーシング２と第２パネル部６２ｃとの間に隙間が形成される。これにより、第１吸込口２１が開かれる。そして、第２パネル部６２ｃの上端と室内機ケーシング２との間の隙間から空気が吸込まれ、第１吸込口２１から室内機ケーシング２内に空気が吸込まれる。なお、第２パネル部６２ｃが第１吸込口２１を開いた状態において、第２パネル部６２ｃの上端が前方へと上端が後方へと傾斜した状態となる。また、この状態において、第２パネル部６２ｃは、吹出口２０に干渉しないように配置される。すなわち、第２パネル部６２ｃの下端は、吹出口２０よりも上方に位置しており、吹出口２０からの吹出しの障害とならないようにされている。
【００７７】
このような第２パネル部６２ｃの移動にリンクして第１パネル部６１ｃも移動する。図１９（ｂ）に示すように、第１パネル部６１ｃは、鉛直方向上向きに平行移動して吹出口２０を開く。第１パネル部６１ｃが鉛直方向上向きに移動すると、第１パネル部６１ｃの上端が、前方へと移動した第２パネル部６２ｃと室内機ケーシング２の前面との間へと挿入される。すなわち、第１パネル部６１ｃの上端は、第２パネル部６２ｃの後方の隙間に挿入される。第１パネル部６１ｃがさらに上方へと移動すると、図１９（ｃ）に示すように、第１パネル部６１ｃが、第２パネル部６２ｃと室内機ケーシング２との間の隙間に収容される。すなわち、第１パネル部６１ｃの全体または一部が、第２パネル部６２ｃに重なった状態となる。なお、第１パネル部６１ｃは、室内機ケーシング２の前面に近接した状態で移動する。第１パネル部６１ｃと室内機ケーシング２とは、擦れによる傷の発生を防止する観点からは第１パネル部６１ｃの移動中に接触しないことが望ましく、第１パネル部６１ｃと室内機ケーシング２との間に約１ｍｍないし２ｍｍの隙間を隔てていることがより望ましい。
【００７８】
室内機１ｃの運転停止状態においては、第１パネル部６１ｃおよび第２パネル部６２ｃが上記と逆に移動することによって、平坦な状態へと戻る。また、水平フラップ５は、水平面に平行になるように移動して吹出口２０の下方を閉じる。
＜運転開始時の初期動作＞
この室内機１ｃの運転開始時の初期動作においては、第１実施形態における吸込口開動作において正面パネル６ａが移動する代わりに第２パネル部６２ｃが移動する。そして、吹出口開動作において水平フラップ５が移動する代わりに第１パネル部６１ｃと水平フラップ５とが移動する。他の動作については第１実施形態と同様である。なお、第１パネル部６１ｃと水平フラップ５とは同時に移動を開始するのではなく、第１パネル部６１ｃが先に開いた後に水平フラップ５の移動が開始されてもよい。
【００７９】
＜特徴＞
この室内機１ｃにおいても第３実施形態と同様に、運転開始時の初期動作において、使用者等に運転開始の指令信号が無事に受信されたことを第２パネル部６２ｃの移動によって確認することができる。また、臭いや冷気による使用者等への不快感の発生を抑えることができる。
【００８０】
さらに、この室内機１ｃでは、運転停止状態において、正面パネル６ｃが室内機１ｃの正面全体を覆う。そして、正面パネル６ｂは、鉛直方向に平行な平坦面を形成する。このため、室内機１ｃの運転停止時には、正面視において使用者等の視野には平坦な正面パネル６ｃのみが表れる。また、正面パネル６ｃの表面には、第１パネル部６１ｃと第２パネル部６２ｃとの境界である横方向（水平方向）に延びる継目のみが表れ、他の継目は表れない。従って、この室内機１ｃでは、正面視において、縦方向（鉛直方向）に延びる継目が表れることがなく、横方向に延びる継目も最低限となっている。このため、この室内機１ｃでは、正面視における室内機１ｃの運転停止時の外観と室内の壁面とが調和し、美観が向上する。
〔他の実施形態〕
（１）
上記の実施形態では、第２開度は正面パネル６ａが全開に開かれた状態であるが、各部材の可動範囲の限界位置に限らず、各運転モードにおける移動範囲の限界であってもよい。また、第２開度が全開状態ではない所定の開度であってもよい。第４開度についても同様である。
【００８１】
（２）
水平フラップ５ではなく吹出口２０を開閉する別のパネルが吹出口開閉部材として設けられてもよい。
【産業上の利用可能性】
【００８２】
本発明は、運転開始時の初期動作における使用者の快適感の低下を抑えることができる効果を有し、空気調和機の室内機および空気調和機の室内機の制御方法として有用である。
【図面の簡単な説明】
【００８３】
【図１】空気調和機の室内機の冷媒回路の構成図。
【図２】第１実施形態にかかる室内機の正面図。
【図３】第１実施形態にかかる室内機の側面図。
【図４】第１実施形態にかかる室内機の側面断面図。
【図５】第１実施形態にかかる室内機の外観斜視図。
【図６】正面パネルが取り外された状態の室内機の正面図。
【図７】移動機構の構成を示す図。
【図８】室内機の制御ブロック図。
【図９】正面パネルの移動時の移動機構の動作を示す図。
【図１０】正面パネルの開閉動作を示す図。
【図１１】正面パネルが開いた状態の室内機の外観斜視図。
【図１２】運転開始時の初期動作の制御フローを示す図。
【図１３】運転開始時の初期動作の制御フローを示す図。
【図１４】第１実施形態に係る運転開始時の初期動作のタイミングチャートを示す図。
【図１５】第２実施形態に係る運転開始時の初期動作のタイミングチャートを示す図。
【図１６】第３実施形態に係る室内機の正面図および側面断面図。
【図１７】第３実施形態に係る室内機の正面パネルの開閉動作を示す図。
【図１８】第４実施形態に係る室内機の正面図および側面断面図。
【図１９】第４実施形態に係る室内機の正面パネルの開閉動作を示す図。
【符号の説明】
【００８４】
１ａ，１ｂ，１ｃ        室内機
２                      室内機ケーシング（ケーシング部）
３                      送風部
５                      水平フラップ（吹出口開閉部材）
８                      制御部
１０                    室内熱交換器（熱交換器）
２０                    吹出口
２１                    第１吸込口（吸込口）
３１                    送風ファン
５２                    温度センサー（温度検知部）
６２ａ，６２ｂ，６２ｃ  第２パネル部（吸込口開閉部材）
Ｇ                      隙間
Ｓ２                    第２ステップ（吸込口開動作開始ステップ）
Ｓ４                    第４ステップ（送風部駆動開始ステップ）
Ｓ９                    第９ステップ（吹出口開動作開始ステップ）
【図１】
2006226562.tif 000003
【図２】
2006226562.tif 000004
【図３】
2006226562.tif 000005
【図４】
2006226562.tif 000006
【図５】
2006226562.tif 000007
【図６】
2006226562.tif 000008
【図７】
2006226562.tif 000009
【図８】
2006226562.tif 000010
【図９】
2006226562.tif 000011
【図１０】
2006226562.tif 000012
【図１１】
2006226562.tif 000013
【図１２】
2006226562.tif 000014
【図１３】
2006226562.tif 000015
【図１４】
2006226562.tif 000016
【図１５】
2006226562.tif 000017
【図１６】
2006226562.tif 000018
【図１７】
2006226562.tif 000019
【図１８】
2006226562.tif 000020
【図１９】
2006226562.tif 000021